(57)【要約】      （修正有）【課題】眼鏡を使用としている人はその眼鏡を使用することができるとともに、塵埃の侵入を効率よく阻止して、安全に使用することができる、安価な防塵用眼鏡マスクを得るにある。【解決手段】少なくとも目および鼻の部分を覆うことができる防塵、防花粉等を図る通気性の良いメッシュ材製のマスク本体２と、このマスク本体の両目を覆う部位に形成された一対の透孔３に眼鏡の左右のレンズフレーム５を支持することができる眼鏡取付け具と、この眼鏡取付け具１２にとり付けられた左右のつる１３を有する眼鏡４と、前記マスク本体の両端部に取付けられた前記眼鏡の左右のつるに取付けることができる左右の取付け具１２とで防塵用眼鏡マスクを構成している。【選択図】  図１
2004202118.tif 000002
【特許請求の範囲】
【請求項１】
少なくとも目および鼻の部分を覆うことができる防塵、防花粉等を図る通気性の良いメッシュ材製のマスク本体と、このマスク本体の両目を覆う部位に形成された一対の透孔、この一対の透孔の周縁部に取付けられた眼鏡の左右のレンズフレームを支持することができる外側部位に切り欠部を有し、内側部が凹部となる左右のレンズフレーム支持具、この左右のレンズフレーム支持具の切り欠部と対応する部位の前記マスク本体にそれぞれ形成された、該切り欠部の開閉を可能にする開閉用切り欠部、この開閉用切り欠部を任意の部位でそれぞれ閉じることができる面ファスナーとからなる眼鏡取付け具と、この眼鏡取付け具の左右のレンズフレーム支持具に左右のレンズフレームが支持される左右のつるを有する眼鏡と、前記マスク本体の両端部に取付けられた前記眼鏡の左右のつるに取付けることができる左右の取付け具とからなることを特徴とする防塵用眼鏡マスク。
【請求項２】
少なくとも目および鼻の部分を覆うことができる防塵、防花粉等を図る通気性の良いメッシュ材製のマスク本体と、このマスク本体の鼻の両側部に位置する部に形成された切断部、この切断部を開閉可能にする鼻用面ファスナー、この鼻用面ファスナーを開放した場合に前記マスク本体の上部に係止する係止具とからなる鼻部開閉具と、前記マスク本体の両目を覆う部位に形成された一対の透孔、この一対の透孔の周縁部に取付けられた眼鏡の左右のレンズフレームを支持することができる外側部位に切り欠部を有し、内側部が凹部となる左右のレンズフレーム支持具、この左右のレンズフレーム支持具の切り欠部と対応する部位の前記マスク本体にそれぞれ形成された、該切り欠部の開閉を可能にする開閉用切り欠部、この開閉用切り欠部を任意の部位でそれぞれ閉じることができる面ファスナーとからなる眼鏡取付け具と、この眼鏡取付け具の左右のレンズフレーム支持具に左右のレンズフレームが支持される左右のつるを有する眼鏡と、前記マスク本体の両端部に取付けられた前記眼鏡の左右のつるに取付けることができる左右の取付け具とからなることを特徴とする防塵用眼鏡マスク。
【請求項３】
少なくとも目、鼻、口の部分を覆うことができる防塵、防花粉等を図る通気性の良いメッシュ材製のマスク本体と、このマスク本体の両目を覆う部位に形成された一対の透孔、この一対の透孔の周縁部に取付けられた眼鏡の左右のレンズフレームを支持することができる外側部位に切り欠部を有し、内側部が凹部となる左右のレンズフレーム支持具、この左右のレンズフレーム支持具の切り欠部と対応する部位の前記マスク本体にそれぞれ形成された、該切り欠部の開閉を可能にする開閉用切り欠部、この開閉用切り欠部を任意の部位でそれぞれ閉じることができる面ファスナーとからなる眼鏡取付け具と、この眼鏡取付け具の左右のレンズフレーム支持具に左右のレンズフレームが支持される左右のつるを有する眼鏡と、前記マスク本体の両端部に取付けられた前記眼鏡の左右のつるに取付けることができる左右の取付け具とからなることを特徴とする防塵用眼鏡マスク。
【請求項４】
左右の取付け具には眼鏡の左右のレンズの曇りを除去することができるようにエアーを供給する手動エアー供給具が取付けられていることを特徴とする請求項１、２、３いずれかに記載の防塵用眼鏡マスク。
【請求項５】
マスク本体の両端部は三角形状に形成されるとともに、その外周部には伸縮ゴムが取付けられていることを特徴とする請求項１、２、３、４いずれかに記載の防塵用眼鏡マスク。
【発明の詳細な説明】
【０００１】
【発明の属する技術分野】
本発明はチェンソーやハンドグラインダー等の塵埃が発生する作業や、消毒や草刈り等の作業等で使用することができる防塵用眼鏡マスクに関する。
【０００２】
【従来の技術】
従来、この種の防塵用眼鏡マスクは、目の部分を外気から密閉して保護する眼鏡と、この眼鏡に取付けられるメッシュ材を用いたマスクとで構成するものが考えられている。
【０００３】
［特許文献］  特開平１１−２９０４７３号公報
【０００４】
【発明が解決しようとする課題】
従来の防塵用眼鏡マスクは、眼鏡を使用している人は眼鏡の上に防塵用眼鏡マスクをしなければならないが、このような使用を行なうと、防塵用眼鏡マスクと顔面との間に隙間が生じ、塵埃が侵入するため、使用できないという欠点があった。
また、眼鏡は専用の眼鏡を用いるため、コスト高になるという欠点があった。
【０００５】
本発明は以上のような従来の欠点に鑑み、眼鏡を使用としている人はその眼鏡を使用することができるとともに、塵埃の侵入を効率よく阻止して、安全に使用することができる、安価な防塵用眼鏡マスクを提供することを目的としている。また、本発明は眼鏡の曇りを簡単な操作で効率よく除去できるとともに、顔面にマスク本体をスムーズに密着させることができ、安全に作業を行なうことができる防塵用眼鏡マスクを提供することを目的としている。
【０００６】
本発明の前記ならびにそのほかの目的と新規な特徴は次の説明を添付図面と照らし合わせて読むと、より完全に明かになるであろう。
ただし、図面はもっぱら解説のためのものであって、本発明の技術的範囲を限定するものではない。
【０００７】
【課題を解決するための手段】
上記目的を達成するために、本発明は少なくとも目および鼻の部分を覆うことができる防塵、防花粉等を図る通気性の良いメッシュ材製のマスク本体と、このマスク本体の両目を覆う部位に形成された一対の透孔、この一対の透孔の周縁部に取付けられた眼鏡の左右のレンズフレームを支持することができる外側部位に切り欠部を有し、内側部が凹部となる左右のレンズフレーム支持具、この左右のレンズフレーム支持具の切り欠部と対応する部位の前記マスク本体にそれぞれ形成された、該切り欠部の開閉を可能にする開閉用切り欠部、この開閉用切り欠部を任意の部位でそれぞれ閉じることができる面ファスナーとからなる眼鏡取付け具と、この眼鏡取付け具の左右のレンズフレーム支持具に左右のレンズフレームが支持される左右のつるを有する眼鏡と、前記マスク本体の両端部に取付けられた前記眼鏡の左右のつるに取付けることができる左右の取付け具とで防塵用眼鏡マスクを構成している。
【０００８】
【発明の実施の形態】
以下、図面に示す実施の形態により、本発明を詳細に説明する。
【０００９】
図１ないし図９に示す本発明の第１の実施の形態において、１は目および鼻の部分を覆うことができる防塵、防花粉等を図ることができる本発明の防塵用眼鏡マスクで、この防塵用眼鏡マスク１は目および鼻の部分を覆うことができる防塵、防花粉、防消毒等を図る通気性の良いメッシュ材製のマスク本体２と、このマスク本体２の両目を覆う部位に形成された一対の透孔３、３、この一対の透孔３、３の周縁部に取付けられた眼鏡４の左右のレンズフレーム５、５を密封状態で支持することができる外側部位に切り欠部６、６を有し、内側部が凹部７、７となる左右のレンズフレーム支持具８、８、この左右のレンズフレーム支持具８、８の切り欠部６、６と対応する部位の前記マスク本体２にそれぞれ形成された、該切り欠部６、６の開閉を可能にする開閉用切り欠部９、９、この開閉用切り欠部９、９を任意の部位でそれぞれ閉じることができる面ファスナー１０、１０、前記左右のレンズフレーム支持具８、８の凹部７、７内に必要に応じて設けられるスポンジ等の弾性体１１、１１とからなる眼鏡取付け具１２と、この眼鏡取付け具１２の左右のレンズフレーム支持具８、８に左右のレンズフレーム５、５が支持される左右のつる１３、１３を有する防塵眼鏡、専用の度なし眼鏡あるいは使用者が使用している眼鏡等の眼鏡４と、前記マスク本体２の両端部を前記眼鏡４の左右のつる１３、１３に取付けることができるクリップ状の左右の取付け具１４、１４とで構成されている。
【００１０】
前記マスク本体２は両端部が三角形状に形成され、その外周部には伸縮ゴム１５、１５が取付けられている。
また、鼻が位置する部位のマスク本体２には開閉可能な鼻部開閉具１６が設けられている。この鼻部開閉具１６は鼻の両側部に位置する部位に形成された切断部１７、１７と、この切断部１７、１７を開閉可能にする鼻用面ファスナー１８、１８と、この鼻用面ファスナー１８、１８を開放した場合に、前記マスク本体２の上部に係止する係止具１９と、前記切断部１７、１７間の背面に所定間隔で固定された可撓性の形状保持片２０、２０とで構成されている。
【００１１】
上記構成の防塵用眼鏡マスク１は、眼鏡４を使用している人は使用している眼鏡４の左右のレンズフレーム５、５を面ファスナー１０、１０を開放して、左右のレンズフレーム支持具８、８の切り欠部６、６を開放して凹部７、７内に収納し、該左右のレンズフレーム５、５と左右のレンズフレーム支持具８、８との間に隙間が生じないように位置させて面ファスナー１０、１０を閉じる。
【００１２】
しかる後、眼鏡４の左右のつる１３、１３にマスク本体２の両端部の左右の取付け具１４、１４を取付ける。
この状態で、眼鏡４を取付ける作業と同様に眼鏡４を取付けることにより、両目および鼻の部位をマスク本体２および眼鏡４によって覆うことができ、チェンソーやハンドグラインダー等の塵埃が発生する作業や消毒や草刈り等の作業等で使用することができる。
【００１３】
また、鼻の部分を開放したい場合には、鼻部開閉具１６の鼻用面ファスナー１８、１８を開放し、係止具１９でマスク本体２の上部に係止することにより、開放状態を保つことができる。
なお、専用の眼鏡を使用する場合は、あらかじめ眼鏡をマスク本体２に取付けた状態で使用する。外す場合は眼鏡を清掃する場合に行なう。
【００１４】
【発明の異なる実施の形態】
次に、図１０ないし図１５に示す本発明の異なる実施の形態につき説明する。なお、これらの本発明の異なる実施の形態の説明に当って、前記本発明の第１の実施の形態と同一構成部分には同一符号を付して重複する説明を省略する。
【００１５】
図１０ないし図１２に示す本発明の第２の実施の形態において、前記本発明の第１の実施の形態と主に異なる点は、左右の取付け具１４、１４に眼鏡４の左右のレンズ２１、２１の曇りを除去することができるようにエアーを供給する手動エアー供給具２２を取付けた点で、このような手動エアー供給具２２を取付けた防塵用眼鏡マスク１Ａにしても、前記本発明の第１の実施の形態と同様な作用効果が得られるとともに、作業中に眼鏡４の左右のレンズ２１、２１が曇るのを簡単に防止することができる。
左右の取付け具１４、１４に防塵眼鏡４の左右のレンズ２１、２１を取付けた場合には、左右のレンズ２１、２１がよく曇るが、エアーの供給によって、確実に、この曇りを簡単に防止することができる。
なお、前記手動エアー供給具２２はジャバラポンプ２３と、このジャバラポンプ２３の吐出口２４に接続された眼鏡４の左右のレンズ２１、２１にエアーを噴射することができる根元が接続された二股状のエアパイプ２５とで構成されている。
【００１６】
図１３ないし図１５に示す本発明の第３の実施の形態において、前記本発明の第２の実施の形態と主に異なる点は、口の部分２６も覆うことができるとともに、該口の部分２６を覆う外周部に、あごに係止できるように伸縮ゴム２７を取付けたマスク本体２Ａを用いた点で、このようなマスク本体２Ａを用いて構成した防塵用眼鏡マスク１Ｂにしても、前記本発明の第２の実施の形態と同様な作用効果が得られるとともに、口の部分も覆って作業を行なうことができる。
【００１７】
なお、前記本発明の各実施の形態ではクリップ状の左右の取付け具１４、１４を用いるものについて説明したが、本発明はこれに限らず、眼鏡４の左右のつる１３、１３の任意の部位に係止できるものであれば、どんな構造のものであっても左右の取付け具として使用してもよい。
また、鼻部開閉具１６を設けないマスク本体を用いてもよい。
【００１８】
【発明の効果】
以上の説明から明らかなように、本発明にあっては次に列挙する効果が得られる。
【００１９】
（１）少なくとも目および鼻の部分を覆うことができる防塵、防花粉等を図る通気性の良いメッシュ材製のマスク本体と、このマスク本体の両目を覆う部位に形成された一対の透孔、この一対の透孔の周縁部に取付けられた眼鏡の左右のレンズフレームを支持することができる外側部位に切り欠部を有し、内側部が凹部となる左右のレンズフレーム支持具、この左右のレンズフレーム支持具の切り欠部と対応する部位の前記マスク本体にそれぞれ形成された、該切り欠部の開閉を可能にする開閉用切り欠部、この開閉用切り欠部を任意の部位でそれぞれ閉じることができる面ファスナーとからなる眼鏡取付け具と、この眼鏡取付け具の左右のレンズフレーム支持具に左右のレンズフレームが支持される左右のつるを有する眼鏡と、前記マスク本体の両端部に取付けられた前記眼鏡の左右のつるに取付けることができる左右の取付け具とで構成されているので、専用の眼鏡は勿論、使用者が使用している眼鏡を使用することができる。
したがって、眼鏡の使用者でも従来と同様に見える状態で塵埃等が発生する作業を行なうことができる。
【００２０】
（２）前記（１）によって、眼鏡取付け具の左右のレンズフレーム支持具は開閉できるように構成されているので、使用者が使用している眼鏡が異なっていても取付けて使用することができる。
【００２１】
（３）前記（１）によって、目および鼻を少なくとも眼鏡およびマスク本体で、目や鼻に塵埃等が侵入するのを阻止できる。
したがって、安全に使用することができる。
【００２２】
（４）請求項２も前記（１）〜（３）と同様な効果が得られるとともに、鼻部分を開放して使用することもできる。
【００２３】
（５）請求項３も前記（１）〜（３）と同様な効果が得られるとともに、口の部分も覆って使用することができる。
【００２４】
（６）請求項４も前記（１）〜（３）と同様な効果が得られるとともに、眼鏡の曇りを簡単に除去することができる。
【図面の簡単な説明】
【図１】本発明の第１の実施の形態の使用状態の正面図。
【図２】本発明の第１の実施の形態の使用状態の側面図。
【図３】本発明の第１の実施の形態の平面図。
【図４】本発明の第１の実施の形態のマスク本体の平面図。
【図５】図４の５−５線に沿う断面図。
【図６】図４の６−６線に沿う断面図。
【図７】図４の７−７線に沿う断面図。
【図８】図４の８−８線に沿う断面図。
【図９】本発明の第１の実施の形態の眼鏡の取付け状態の説明図。
【図１０】本発明の第２の実施の形態の使用状態の正面図。
【図１１】本発明の第２の実施の形態の側面図。
【図１２】本発明の第２の実施の形態の説明図。
【図１３】本発明の第３の実施の形態の使用状態の正面図。
【図１４】本発明の第３の実施の形態の側面図。
【図１５】本発明の第３の実施の形態の説明図。
【符号の説明】
１、１Ａ、１Ｂ：防塵用眼鏡マスク、
２、２Ａ：マスク本体、  ３：透孔、
４：眼鏡、
５：左右のレンズフレーム、
６：切り欠部、          ７：凹部、
８：左右のレンズフレーム支持具、
９：開閉用切り欠部、    １０：面ファスナー、
１１：弾性体、          １２：眼鏡取付け具、
１３：左右のつる、      １４：左右の取付け具、
１５：伸縮ゴム、        １６：鼻部開閉具、
１７：切断部、          １８：鼻用面ファスナー、
１９：係止具、          ２０：保持片、
２１：左右のレンズ、    ２２：手動エアー供給具、
２３：ジャバラポンプ、  ２４：吐出口、
２５：エアーパイプ、    ２６：口の部分、
２７：伸縮ゴム。
【図１】
2004202118.tif 000003
【図２】
2004202118.tif 000004
【図３】
2004202118.tif 000005
【図４】
2004202118.tif 000006
【図５】
2004202118.tif 000007
【図６】
2004202118.tif 000008
【図７】
2004202118.tif 000009
【図８】
2004202118.tif 000010
【図９】
2004202118.tif 000011
【図１０】
2004202118.tif 000012
【図１１】
2004202118.tif 000013
【図１２】
2004202118.tif 000014
【図１３】
2004202118.tif 000015
【図１４】
2004202118.tif 000016
【図１５】
2004202118.tif 000017